(57)【特許請求の範囲】
【請求項１】
薬液が塗布されたティシュペーパの折り重ねられたシート群が箱に収容された衛生用品であって、
前記箱の底壁部，天壁部及び四方の立壁部のうちの少なくとも前記底壁部の外表面の少なくとも一部に、前記ティシュペーパの前記薬液が前記箱の外面から外部に漏出することを防止又は抑制するための塗材が塗布されており、
前記塗材は、第１塗材と前記第１塗材上に塗布された第２塗材との二層からなり、
前記第２塗材は、熱硬化性樹脂のコート剤である
ことを特徴とする衛生用品。
【請求項２】
前記箱の前記底壁部及び四方の前記立壁部の外表面の少なくとも一部に前記塗材が塗布されている
ことを特徴とする請求項１に記載された衛生用品。
【請求項３】
前記第１塗材はアクリル系又はスチレン系の塗材である
ことを特徴とする請求項１又は２に記載された衛生用品。
【請求項４】
前記コート剤はアクリル系樹脂である
ことを特徴とする請求項１〜３の何れか１項に記載された衛生用品。
【請求項５】
前記コート剤は、プレスコートにより形成されている
ことを特徴とする請求項１〜４の何れか１項に記載された衛生用品。
【発明の詳細な説明】
【技術分野】
【０００１】
本発明は、シート群が箱に収容された衛生用品に関するものである。
【背景技術】
【０００２】
従来、箱入りのティシュペーパのように、シートの折り重ねられたシート群（シート束）が箱に収容され、その箱の取出口からポップアップ方式でシートが取り出される衛生用品が知られている。このような衛生用品の中に、保湿ティシュペーパのように、シートが薬液を含んでいるものがある（特許文献１参照）。
【先行技術文献】
【特許文献】
【０００３】
【特許文献１】特開２００９−３９３０８号公報
【発明の概要】
【発明が解決しようとする課題】
【０００４】
ところで、保湿ティシュペーパの保湿成分（保湿用薬液）のように、シートに含まれている薬液は、時間の経過とともにシートの外部に放出されていき、薬液の含有量が減少して薬液の効果が低下する。保湿ティシュペーパの場合、ティシュペーパの保湿成分が減少して保湿性が低下する。衛生用品の箱は、一般に紙製であるため、保湿成分等の薬液が箱に移行し、さらに箱の表面（外表面）まで移行して、外気中に漏出する。この結果、シートの薬液含有量の減少が促進され、薬液の効果の低下も進んでしまう。
したがって、こうした衛生用品の商品性を向上させるうえで、改善の余地がある。
【０００５】
本発明は、このような課題に着目して創案されたもので、シートに含まれている薬液の減少を抑制し、長期にわたって薬液の効果を得ることができるようにした衛生用品を提供することを目的の一つとする。なお、本目的に限らず、後述する「発明を実施するための形態」に示す各構成から導き出される作用および効果であって、従来の技術では得られない作用および効果を奏することも、本件の他の目的として位置付けることができる。
【課題を解決するための手段】
【０００６】
本発明者は、シートに含まれている薬液の減少は、シートを収容する箱から外部に薬液が漏出することが大きな要因であり、箱から外部への薬液の漏出を抑制することで、シートに含まれている薬液の減少を抑制し、長期にわたって薬液の効果を得ることができるとの知見を得て、本発明を創案した。
【０００７】
本発明の衛生用品は、薬液が塗布されたティシュペーパの折り重ねられたシート群が箱に収容された衛生用品であって、前記箱の底壁部，天壁部及び四方の立壁部のうちの少なくとも前記底壁部の外表面の少なくとも一部に、前記ティシュペーパの前記薬液が前記箱の外面から外部に漏出することを防止又は抑制するための塗材が塗布されており、前記塗材は、第１塗材と前記第１塗材上に塗布された第２塗材との二層からなり、前記第２塗材は、熱硬化性樹脂のコート剤であることを特徴としている。
【０００８】
前記箱の前記底壁部及び四方の前記立壁部の外表面の少なくとも一部に前記塗材が塗布されていることが好ましい。
前記第１塗材はアクリル系又はスチレン系の塗材であることが好ましい。
前記コート剤はアクリル系樹脂であることが好ましい。
前記コート剤は、プレスコートにより形成されていることが好ましい。
【発明の効果】
【０００９】
本件の衛生用品によれば、シートに含まれている薬液の減少を抑制し、長期にわたって薬液の効果を得ることができるようになる。
【図面の簡単な説明】
【００１０】
【図１】一実施形態にかかる箱入りのティシュペーパ（衛生用品）の構成を模式的に示す斜視図である。
【図２】一実施形態にかかるティシュペーパが折り重ねられた状態を説明する斜視図である。
【図３】一実施形態にかかる箱入りのティシュペーパの製造工程の一部を示す斜視図である。
【図４】一実施形態にかかる箱入りのティシュペーパのシート収容工程を示す縦断面図である。
【図５】一実施形態にかかる箱入りのティシュペーパの箱の表面の塗材の塗布状態を説明する図であり、（ａ）はその斜視図、（ｂ）はその横断面図〔図５（ａ）のＡ−Ａ矢視断面図〕である。
【図６】一実施形態にかかる箱入りのティシュペーパにおいて箱の内面の平滑度が規定されていることによる効果を説明する縦断面図であって、（ａ１）〜（ａ３）は実施形態にかかるものであり、（ｂ１）〜（ｂ３）は比較例にかかるものである。
【図７】一実施形態にかかる箱入りのティシュペーパにおいて箱の表面の塗材が塗布されていることによる効果を説明する縦断面図であって、（ａ）は実施形態にかかるものであり、（ｂ）は比較例にかかるものである。
【発明を実施するための形態】
【００１１】
以下、実施形態としての衛生用品を説明する。
本衛生用品では、シート群が箱に収容されている。このシート群は折り重ねられた複数のシートから構成され、これらのシートが箱の取出口からポップアップ方式で取り出される。
上記の衛生用品としては、箱入りのティシュペーパをはじめ、箱入りのキッチンペーパあるいはトイレットペーパといった紙製のシートが箱に収容された衛生用の物品が挙げられる。下記の一実施形態では、箱入りのティシュペーパ（以下「箱ティシュ」と略称する）を衛生用品の例に挙げる。
【００１２】
［Ｉ．一実施形態］
［１．基本的な構成］
はじめに、図１を参照して、箱ティシュ１の基本的な構成を説明する。
箱ティシュ１には、複数のティシュペーパ（シート）１０が折り重ねられた状態で箱２０に収容されている。
【００１３】
箱２０は、高さ方向に対面する天壁部２１および底壁部２２とこれらの壁部２１，２２の高さ方向に連設される２つの側壁部２３，２４及び２つの端壁部２５，２６とが設けられた直方体状をなしている。この箱２０には、ティシュペーパ１０の取出口Ａが天壁部２１に設けられている。
【００１４】
なお、側壁部２３，２４は箱２０の長手方向に延びる立壁部であり、端壁部２５，２６は箱２０の長手方向端部の立壁部である。端壁部２５，２６は，天壁部２１，底壁部２２及び側壁部２３，２４から連設された各フラップを重ね合わせて貼り合わせることによって形成される。
【００１５】
ティシュペーパ１０は、箱２０の取出口Ａからポップアップ方式で取り出される。このため、箱２０に収容されたティシュペーパ１０は、ポップアップ方式で順繰りに取り出されるように複数が折り重ねられている。具体的には、上下に隣接するティシュペーパ１０どうしが互いに折り重ねられている。
【００１６】
以下、図２を参照して、複数のティシュペーパ１０が折り重ねられた状態を説明する。ここでは、上下に隣接する三つのティシュペーパ１０について、下記のティシュペーパ１０Ａ，１０Ｂ，１０Ｃを例に挙げる。
・上ティシュペーパ１０Ａ：上側のティシュペーパ１０
・中ティシュペーパ１０Ｂ：真ん中のティシュペーパ１０
・下ティシュペーパ１０Ｃ：下側のティシュペーパ１０
【００１７】
ティシュペーパ１０Ａ，１０Ｂ，１０Ｃのそれぞれは、折曲線Ｌで二つ折りにされている。上下に隣接するティシュペーパ１０Ａ，１０Ｂ，１０Ｃの折曲線Ｌは、互いに反対側に配置されている。図２では、上ティシュペーパ１０Ａの折曲線Ｌおよび下ティシュペーパ１０Ｃの折曲線Ｌが右下側に配置され、中ティシュペーパ１０Ｂの折曲線Ｌが左上側に配置された例を示す。
【００１８】
また、ティシュペーパ１０Ａ，１０Ｂ，１０Ｃのそれぞれは、折曲線Ｌに対して上側の面部（以下「上面部」と称する）１１Ａ，１１Ｂ，１１Ｃと、折曲線Ｌに対して下側の面部（以下「下面部」と称する）１２Ａ，１２Ｂ，１２Ｃと、に大別される。
さらに、上ティシュペーパ１０Ａの下面部１２Ａは、中ティシュペーパ１０Ｂの上面部１１Ｂよりも下側であって、下ティシュペーパ１０Ｃの上面部１１Ｃよりも上側に重ね合わせられている。このように上下に隣接するティシュペーパ１０Ａ，１０Ｂの面部１１Ｂ，１２Ａどうしが引っ掛かるように重ね合わせられることにより、引き出された上ティシュペーパ１０Ａの下面部１２Ａによって中ティシュペーパ１０Ｂの上面部１１Ｂも引き出される。
【００１９】
このティシュペーパ１０は、薄膜状の枚葉紙（以下「プライ」と称する）が複数枚重ね合わせられて一組のシートをなす。ここでは、二枚のプライで一組（いわゆる２プライ）のティシュペーパ１０を例示する。
このように二枚のプライが重ね合わせられた一組のティシュペーパ１０が一枚のシートをなし、図１に示すように、箱２０に収容される複数組のティシュペーパ１０（すなわち複数枚のシート）がシート群１００をなしている。複数組のティシュペーパ１０は層状の束に集合しているので、このシート群をシート束（或いは、ティシュ束）１００という。
【００２０】
箱ティシュ１を構成するティシュペーパ１０は、以下に例示する各工程を順次実施することによって製造される。なお、本実施形態のティシュペーパ１０は、保湿剤や柔軟剤等の薬液（保湿用薬液）を含浸させた、いわゆる保湿ティシュペーパである。保湿ティシュペーパの場合には、製造工程に以下の薬液塗布工程を含むが、薬液を含浸させない通常のティシュペーパ（非保湿ティシュペーパ）の場合には、製造工程に薬液塗布工程は含まない。
・抄紙工程：パルプ繊維の懸濁したスラリーから原紙を抄造する工程
・薬液塗布工程：抄造された原紙に対して保湿剤や柔軟剤等の薬液を塗布する工程
・積層工程：薬液が塗布された原紙どうしを重ね合わせる工程
・折畳工程：原紙の重ね合わせられた原紙組を折り畳んで重ね合わせる工程
なお、通常は上記の各工程により折曲線Ｌの延びる方向（長手方向）にシート束１００が複数組分の長さを有する大きなシート束が製造され、これを長手方向の切断し分割して１つの箱ティシュ１を構成するシート束１００が形成される。
【００２１】
箱ティシュ１を構成する箱２０は、所定の素材（原紙）を用いて、以下に例示する各工程を順次実施することによって製造される。
箱２０の原紙には、坪量が２５０ｇ／ｍ２以上且つ４５０ｇ／ｍ２以下の範囲であって、厚みが３００μｍ以上且つ６００μｍ以下の範囲である紙材（例えばコートボール等）が用いられるが、本箱ティシュ１の箱２０では、箱２０の内面となる原紙の裏面が所定の平滑性を有しているものが適用されている。また、原紙は所定の形状に型取りされているものとする。
・印刷工程（第１塗材塗布工程）：原紙の外面（外表面）に印刷を施す工程
・コーティング工程（第２塗材塗布工程）：印刷された外面にコーティングを施す工程
・型抜き工程：所定の展開形状に型抜きするとともに折り曲げ罫線や取出口のミシン目を形成する工程
・窓貼り工程：取出口Ａを塞ぐフィルムを貼り付ける工程
・胴貼り工程：胴周り部分の端部相互を糊付ける工程
【００２２】
なお、胴周り部分とは、天壁部２１，底壁部２２及び側壁部２３，２４からなる筒状に形成される部分であり、胴周り部分の端部とは、通常底壁部２２の一縁部及び側壁部２３の一縁部である。
また、胴貼り工程を経て得られる箱２０は、立体的に起立される前のシート状のものである。
【００２３】
このようにして形成されたシート束１００及び箱２０は、箱２０を立体的に起立させる起立工程と、シート束１００を箱２０内に収容させる工程（シート収容工程）と、箱２０の端壁部２５，２６を構成する各フラップを貼り付けて封止する封止工程とからなる製箱工程を経て、箱ティシュ１が完成する。
【００２４】
図３は箱ティシュ１の製造工程におけるこの製箱工程を示す斜視図であり、図３に示すように、コンベアＣ１，Ｃ２等が配備された搬送ラインＬ１，Ｌ２が隣接して平行に設けられ、箱２０は搬送ラインＬ１に沿って、シート束１００は搬送ラインＬ２に沿って、それぞれ搬送される。箱２０もシート束１００も搬送方向に同位置となるように、所定間隔で搬送ラインＬ１，Ｌ２上に供給され、搬送ラインＬ１，Ｌ２上を等速で同一方向に搬送される。
【００２５】
製箱工程に供給される箱２０は立体的に起立される前のシート状のものであり、起立工程Ｐ１では、このシート状の箱２０が搬送ラインＬ１を搬送されながら側壁部２３，２４が底壁部２２に対して垂直に起立されて立体化される。これにより、天壁部２１，底壁部２２及び側壁部２３，２４で囲まれて、シート束１００を収容する直方体状の内部空間２７が形成される。この時には、箱２０の端壁部２５，２６を構成する各フラップはまだ折り曲げられず、端壁部２５，２６は開放状態にある。
【００２６】
端壁部２５，２６を構成する各フラップは、図示しないフラップ閉動機構によって閉動されるが、シート束１００を箱２０の空間２７内に収容させる際には、少なくともシート束１００を空間２７内に差し入れる側の端壁部２６は開放状態とする。図３に示す例では、シート束１００を空間２７内に差し入れる側と反対側の端壁部２５は、一部のフラップが閉鎖側に折り曲げられている。
【００２７】
シート収容工程Ｐ２では、シート束１００が、箱２０の端壁部２６側の開口から、押し棒３１によって空間２７内に押し込まれる。図４はこのシート束１００が空間２７内に押し込まれる状況を順次示す縦断面図であり、搬送ラインＬ１，Ｌ２の基面の高さは、同一又はほぼ同一に設定されている。シート束１００は、図４（ａ）〜（ｃ）に示すように、押し棒３１によって押されて、搬送ラインＬ１，Ｌ２を搬送される方向と直交する方向にスライドしながら隣接する箱２０の空間２７内に押し込まれる。
【００２８】
なお、箱２０の内側における高さ寸法である内寸ｈ１と、シート束１００の高さ寸法である外寸ｈ２との比である寸法比（外寸／内寸）が、０．８５よりも大きく１．００よりも小さく設定されている。したがって、シート収容工程Ｐ２において、箱２０の内部へのシート束１００の収容を、シート束１００の上面を箱２０の天壁部２１の内面２０Ａに接触させることなく行える。また、箱２０の内部において、シート束１００の上方に微小な隙間が生じる（図５（ｂ）参照）。
【００２９】
次の封止工程Ｐ３では、端壁部２５，２６を構成する各フラップが図示しないフラップ閉動機構によって順次閉動される。このとき、所要のフラップの表面部分には図示しない接着剤供給装置から接着剤が供給され、この接着剤によって互いに重合するフラップの面どうしが接着され開口が封止されて、端壁部２５，２６が形成される。
以下、箱ティシュ１において特徴がある箱２０について、さらに詳しく説明する。
【００３０】
［２．原紙の裏面（箱２０の内面２０Ａ）の平滑性］
箱２０を製造する原紙の裏面（すなわち、箱２０の内面２０Ａ）の平滑性については、平滑性を数値で表した平滑度が用いられ、箱２０の内面２０Ａの少なくとも一部の平滑度が、予め設定された平滑性の下限である基準値と同等又はより平滑性の高い値であるものとされている。
【００３１】
紙の表面の平滑性を評価する平滑度には、スムースター平滑度，ベック平滑度，王研式平滑度など種々のものがあり、いずれの平滑度も使用可能であるが、本実施形態では、平滑度に、スムースター平滑度（ＪＡＰＡＮ ＴＡＰＰＩ 紙パルプ試験方法の規格Ｎｏ．５−１）を用いている。
【００３２】
本実施形態にかかるスムースター平滑度の値は、以下のＪＩＳ Ｐ８１１０，Ｐ８１１１，Ｐ８１１７の規格にしたがって、試験用紙の採取し、標準状態を設定し、試験を実施して、さらに、試験で得られたデータを、以下のＪＩＳ Ｚ８４０１，Ｚ９０４１−１の規格にしたがって処理することで取得している。
・ＪＩＳ Ｐ８１１０（紙及び板紙−平均品質を測定するためのサンプリング方法）
・ＪＩＳ Ｐ８１１１（紙，板紙及びパルプ−調湿及び試験のための標準状態）
・ＪＩＳ Ｐ８１１７（紙及び板紙−透気度及び透気抵抗度試験方法（中間領域）−ガーレー法）
・ＪＩＳ Ｚ８４０１（数値の丸め方）
・ＪＩＳ Ｚ９０４１−１（データの統計的な解釈方法−第１部：データの統計的記述）
【００３３】
スムースター平滑度は、平滑度測定ヘッドに試験用紙を装着し、平滑度測定ヘッドを規定の条件で吸引減圧した時の圧力値（単位はｋＰａ、あるいはｍｍＨｇ又はＴｏｒｒ）であって、平滑性が高いほど減圧されるため値が小さくなる。このため、上記の平滑性の下限である基準値は、スムースター平滑度の値としては上限値となる。そこで、本実施形態では、箱２０の内面２０Ａの少なくとも一部のスムースター平滑度が、この上限値以下とされている。
【００３４】
なお、ベック平滑度や王研式平滑度は、通常、空気が紙面の凹凸に応じた間隙を通り抜ける時間数（秒数）であり、凹凸間隙が小さいほど、つまり、平滑性が高いほど、時間がかかる。このため、平滑性の下限である基準値は、ベック平滑度の値や王研式平滑度の値では、下限値となる。そこで、ベック平滑度を採用する場合は、箱２０の内面２０Ａの少なくとも一部のベック平滑度が、この下限値以上とされ、王研式平滑度を採用する場合は、箱２０の内面２０Ａの少なくとも一部の王研式平滑度が、この下限値以上とされる。
【００３５】
スムースター平滑度の上限値の設定は、シート束１００を箱２０に収容させるシート収容工程では、箱２０の内部空間に、箱２０の一端の開口からシート束１００をスライドさせて挿入して収容させる際に、シート束１００が箱２０の内面２０Ａに対して滑らかに滑りながら移動するようにするためのものである。
【００３６】
つまり、箱２０の内面２０Ａのスムースター平滑度を低くすれば（平滑性を高くすれば）、シート束１００が箱２０の内面２０Ａに対して滑らかに滑りながら箱２０の内部空間に収容されるため、シート束１００のティシュペーパ１０に折れや撚れが発生し難く、ティシュペーパ１０が箱２０の内面２０Ａに擦れることで生じる紙粉の発生も少なくなる。このような観点からは、箱２０の内面２０Ａのスムースター平滑度が低いほど（平滑性が高いほど）有効であるが、内面２０Ａのスムースター平滑度を低くしようとすると製造コストが増大するので、所要の効果を得られる平滑性の下限基準値として、スムースター平滑度の上限値を設定している。
【００３７】
ティシュペーパ１０の折れや撚れの発生や、ティシュペーパ１０が擦れることで生じる紙粉の発生は、ティシュペーパ１０の特性にも依存する。つまり、シート束１００が滑り易ければ、箱２０の内面２０Ａのスムースター平滑度が比較的高くてもティシュペーパ１０の折れや撚れの発生や紙粉の発生は少なく、箱２０の内面２０Ａのスムースター平滑度の上限値は比較的大きな値でもよい。しかし、シート束１００が滑り難ければ、箱２０の内面２０Ａのスムースター平滑度が低くなければティシュペーパ１０の折れや撚れの発生や紙粉の発生は多くなり、箱２０の内面２０Ａのスムースター平滑度の上限値は比較的小さな値としなくてはならない。
【００３８】
保湿ティシュの場合、非保湿ティシュの場合よりもシート束１００が滑り難い。そこで、このスムースター平滑度の上限値は、保湿ティシュを収容する場合の方が非保湿ティシュを収容する場合よりも低く設定される。つまり、保湿ティシュを収容する場合の方が非保湿ティシュを収容する場合よりも平滑性が高く設定される。
【００３９】
本実施形態では、保湿ティシュの場合の箱２０の内面２０Ａの全てのスムースター平滑度の上限値を２０ｋＰａに（つまり、内面２０Ａのスムースター平滑度を２０ｋＰａ以下に）設定している。なお、非保湿ティシュの場合のスムースター平滑度の上限値を３０ｋＰａに（つまり、内面２０Ａのスムースター平滑度を３０ｋＰａ以下に）設定する。
【００４０】
なお、箱２０の内面２０Ａとなる原紙の裏面のスムースター平滑度を低くする（すなわち、平滑性を高める）手法には、裏面でも平滑性が高い抄造方法を選択したり、填料を用いたり、カレンダリング（塗工）を行ったりするなど、公知の技術を採用できる。もちろん、スムースター平滑度の上限値が比較的高い場合には、スムースター平滑度を低くするための特別な処理が不要の場合もある。
【００４１】
［３．原紙の表面（箱２０の外面２０Ｂ）の構造］
上記のように、印刷工程（第１塗材塗布工程）及びコーティング工程（第２塗材塗布工程）において、原紙の表面に第１塗材としてのインキが塗布され、さらに、原紙の表面に第２塗材としてのコート剤が塗布される。インキとしては、アクリル系又はスチレン系のインキが用いられる。コート剤としては、熱硬化性樹脂であるアクリル系樹脂が用いられている。これにより、図５（ａ），（ｂ）に示すように、箱２０の外面２０Ｂには、アクリル系又はスチレン系のインキからなる第１塗材層２８とアクリル系樹脂からなる第２塗材層２９とが形成される。
【００４２】
図５（ａ）に示すように、本実施形態では、第１塗材層２８は文字を含むドット模様で示す箇所（箱２０の外面２０Ｂ全面）に形成されており、第２塗材層２９は第１塗材層２８に重合するように箱２０の外面２０Ｂ全面に形成されている。図５（ａ）において、ドット模様は第１塗材層２８及び第２塗材層２９が形成されている状態を示している。
【００４３】
このように、塗材層２８，２９を設けているのは、保湿ティシュペーパ１０に含まれている薬液が箱２０の外面から外部に漏出することを防止又は抑制するためである。つまり、保湿ティシュペーパ１０に含まれている薬液は、時間の経過とともに保湿ティシュペーパ１０の外部に放出されていく。箱２０に塗材層２８，２９が形成されていると、薬液が保湿ティシュペーパ１０の外部に放出されても、塗材層２８，２９によって、保湿ティシュペーパ１０の薬液が箱２０から外部に漏出し難くなり箱２０の内部に残存しているため、保湿ティシュペーパ１０の薬液の外部への放出が抑えられる。
【００４４】
なお、保湿ティシュペーパ１０に含まれている薬液が箱２０から外部に漏出することを防止又は抑制するためだけであれば、箱２０の内面２０Ａに塗材層を形成してもよいが、塗材としてのインキは、箱２０の外観にデザイン性を与えたり、文字情報を表示したりする機能があり、薬液の漏出防止以外の効果もある。また、塗材としてのコート剤も、箱２０の外観を向上させたり、箱２０を保護したりする機能もあり、薬液の漏出防止以外の効果もある。そこで、本箱ティシュ１では箱２０の外面２０Ｂに塗材層を形成している。
【００４５】
［４．作用および効果］
本実施形態にかかる衛生用品としての箱ティシュ１は、上記のように構成されており、箱２０の内面２０Ａの平滑性の設定、及び、箱２０の外面２０Ｂに塗材層２８，２９を形成した構造によって以下のような効果を得ることができる。
【００４６】
［４．１．箱２０の内面２０Ａの平滑性による作用および効果］
保湿ティシュの場合の箱２０の内面２０Ａのスムースター平滑度を２０ｋＰａ以下に設定しているので、保湿ティシュペーパ１０の箱２０内への挿入性が向上し、箱ティシュ１内の保湿ティシュペーパ１０（シート）に折れや撚れの発生が抑制又は防止される効果や、箱２０内に含まれる紙粉が少なくなる効果を得ることができる。
【００４７】
図６はこの平滑性による作用および効果を説明するシート収容工程Ｐ２における箱２０及びシート束１００の縦断面図であり、図６（ａ１）〜（ａ３）は箱２０の内面２０Ａのスムースター平滑度が基準値（２０ｋＰａ）以下である本実施形態の場合を示し、図６（ｂ１）〜（ｂ３）は箱２０の内面２０Ａのスムースター平滑度が基準値（２０ｋＰａ）よりも大きい（平滑性が低い）比較例の場合を示す。
【００４８】
図６（ｂ１）〜（ｂ３）に示すように、箱２０の内面２０Ａのスムースター平滑度が基準値（２０ｋＰａ）よりも大きく平滑性が低いと、シート束１００が箱２０の内部に進入するときに、シート束１００の一部（この例では最下層の保湿ティシュペーパ１０）が箱２０の内面２０Ａ（この例では底壁部２２の内面）と擦れて内面２０Ａから抵抗力を受けることによって変形し、保湿ティシュペーパ１０に折れや撚れが発生する。
【００４９】
これに対して、図６（ａ１）〜（ａ３）に示すように、箱２０の内面２０Ａのスムースター平滑度が基準値（２０ｋＰａ）以下であって平滑性が高いと、シート束１００が箱２０の内部に進入するときに、シート束１００が箱２０の内面２０Ａと擦れても内面２０Ａから受ける抵抗力が小さいため保湿ティシュペーパ１０に変形が生じ難く、保湿ティシュペーパ１０に折れや撚れが発生し難い。
【００５０】
［４．２．箱２０の外面２０Ｂに塗材層２８，２９による作用および効果］
箱２０の外面２０Ｂには、アクリル系又はスチレン系のインキからなる第１塗材層２８とアクリル系樹脂からなる第２塗材層２９とが形成されるため、保湿ティシュペーパ１０に含まれている薬液が箱２０から外部に漏出することが防止又は抑制される。
【００５１】
図７は塗材層２８，２９による薬液の外部への放出を抑制する効果を説明する箱ティシュ１の部分横断面図であって、図７（ａ）は箱２０の外面２０Ｂに塗材層２８，２９を備えた本実施形態の場合を示し、図７（ｂ）は塗材層を備えない比較例の場合を示す。
保湿ティシュペーパ１０に含まれている薬液が保湿ティシュペーパ１０から放出されると、箱２０の内面２０Ａに吸着され箱２０の外面２０Ｂへと移動する。
【００５２】
図７（ｂ）に示すように、箱２０の外面２０Ｂに塗材層を備えていない場合、薬液は、箱２０の外面２０Ｂから白矢印で示すように箱２０の外部（箱２０が接触している物体や外気中）へと漏出される。このため、箱２０の内部の薬液は次第に減少していく。したがって、保湿ティシュペーパ１０からの薬液の放出が進んで、保湿ティシュペーパ１０の保湿性が低下してしまう。
【００５３】
一方、図７（ａ）に示すように、箱２０の外面２０Ｂに塗材層２８，２９を備えている場合、箱２０の外面２０Ｂの塗材層２８，２９が薬液の外部への漏出を阻止するため、箱２０の内部の薬液の減少は阻止又は抑制される。箱２０の内部に薬液が保持されていると、保湿ティシュペーパ１０からの薬液の放出が抑えられ、保湿ティシュペーパ１０の保湿性が保持される。
【００５４】
また、第２塗材層２９であるコーティング層を熱硬化性樹脂で形成しているので、薬剤に対する耐性も強く、箱２０外部への薬液の漏出阻止効果が長く継続する。このため、箱ティシュを長期保管しても、保湿ティシュペーパ１０の保湿性が保持され、コーティングによる外観の向上も永続する利点がある。
【００５５】
［ＩＩ．その他］
以上、実施形態を説明したが、かかる実施形態は本件の衛生用品の一例であり、適宜変更しうるものである。
例えば、上記実施形態では、箱２０の内面２０Ａの全てのスムースター平滑度を上限値（２０ｋＰａ）以下に設定しており、シート束１００が箱２０の内面２０Ａの何れの部分と擦れても平滑性による作用および効果を得ることができる。
ただし、シート収容工程Ｐ２でシート束１００が最も内面２０Ａから影響を受けるのは、箱２０の底壁部２２の内面２０Ａであり、次に影響を受けるのは、箱２０の側壁部２３，２４の内面２０Ａである。この点に着目すれば、底壁部２２の内面２０Ａのみについてスムースター平滑度を上限値以下に設定してもよく、これに加えて、側壁部２３，２４の内面２０Ａについてスムースター平滑度を上限値以下に設定してもよい。
【００５６】
さらに、スムースター平滑度を上限値以下に設定する対象は、底壁部２２の内面２０Ａの全てでなく一部だけでもよく、側壁部２３，２４の内面２０Ａの全てでなく一部だけでもよく、天壁部２１の内面２０Ａの全てでなく一部だけでもよい。つまり、内面２０Ａから影響を受けやすい箇所に特定して、スムースター平滑度を上限値以下に設定してもよい。
【００５７】
また、上記実施形態では、箱２０の内寸ｈ１とシート束１００の外寸ｈ２との寸法比（外寸／内寸）が、０．８５より大きく１．００より小さく設定され、箱２０の内寸ｈ１の方がシート束１００の外寸ｈ２よりも大きくなっているが、寸法比を例えば１．００以上であって１．２未満とし、箱２０の内寸ｈ１よりもシート束１００の外寸ｈ２の方を大きくして、シート束１００の高さ（ティシュペーパ１０の枚数）に対して箱２０の高さ寸法を抑えた箱ティシュも製造されている。
この場合、シート束１００を高さ方向に圧縮させて箱２０の内部空間２７に収容させるので、天壁部２１の内面２０Ａもシート収容工程Ｐ２でシート束１００に大きく影響を与える。したがって、この場合、底壁部２２の内面２０Ａ及び天壁部２１の内面２０Ａのみについてスムースター平滑度を上限値以下に設定してもよい。また、これに加えて、側壁部２３，２４の内面２０Ａについてスムースター平滑度を上限値以下に設定してもよい。
【００５８】
さらに、スムースター平滑度を上限値以下に設定する対象は、底壁部２２の内面２０Ａの全てでなく一部だけでもよく、側壁部２３，２４の内面２０Ａの全てでなく一部だけでもよく、天壁部２１の内面２０Ａの全てでなく一部だけでもよい。つまり、内面２０Ａから影響を受けやすい箇所に特定して、スムースター平滑度を上限値以下に設定してもよい。
【００５９】
上記実施形態では、箱２０の外面２０Ｂにアクリル系又はスチレン系のインキからなる第１塗材層２８とアクリル系樹脂からなる第２塗材層２９とが形成されており、塗材層が二層構造の箇所では特に薬液の外部への漏出を阻止する効果が強まるが、塗材層は一層だけでもよい。
【００６０】
また、上記実施形態では、アクリル系又はスチレン系のインキからなる第１塗材層２８を箱２０の外面２０Ｂ全面に設け、アクリル系樹脂からなる第２塗材層２９も箱２０の外面２０Ｂ全面全体に設けて薬液の外部への漏出を阻止する効果を高めるようにしているが、第１塗材層２８についても第２塗材層２９についても箱２０の外面２０Ｂの一部に部分的に設けても薬液の外部への漏出を阻止する一定の効果を得ることができる。
【００６１】
塗材層を複数（二層以上）設ける場合、各塗材層を箱２０の外面２０Ｂに全面的に或いは部分的に設けることができるが、箱２０の外面２０Ｂの各部は少なくともいずれかの塗材層で被覆され、外面２０Ｂ全体としては塗材層で覆われない箇所がないように構成すれば、薬液の外部への漏出を阻止する効果が高まる。もちろん、外面２０Ｂの一部に塗材層で覆われない箇所があったとしても、薬液の外部への漏出を阻止する一定の効果は得られる。
【００６２】
また、箱２０の底壁部２２の外面２０Ｂは、通常、箱２０を支持するものの上に接触しているが、箱２０の外面２０Ｂが何らかのものに接触していると外面２０Ｂが外気のみと接触している場合よりも薬液の外部への漏出が促進されることが考えられ、この点では、塗材を箱２０の底壁部２２の外面２０Ｂのみに塗布することも有効である。
【００６３】
また、コート剤を塗布する際に、プレスコートを用いてもよい。プレスコートによれば、塗布面にアクリル樹脂等のコート剤を塗布し、鏡面光沢仕上げを施したステンレス板に熱圧着させ、冷却して剥がしとるため処理工程が増えるが、加工面は平滑なので強光沢を得られるため、外観を大きく向上させることができる。
なお、塗材の種類も薬液の外部への漏出を阻止しうるものであればよく、上記実施形態で例示したものに限るものではない。
【符号の説明】
【００６４】
１  箱ティシュ
１０，１０Ａ，１０Ｂ，１０Ｃ  ティシュペーパ（シート）
１１Ａ，１１Ｂ，１１Ｃ  上面部
１２Ａ，１２Ｂ，１２Ｃ  下面部
２０  箱
２０Ａ  箱２０の内面
２０Ｂ  箱２０の外面
２１  天壁部
２２  底壁部
２３，２４  側壁部（立壁部）
２５，２６  端壁部（立壁部）
２７  箱２０の内部空間（空間）
２８  第１塗材層
２９  第２塗材層
３１  押し棒
１００  シート群（シート束，ティシュ束）
Ａ  取出口
Ｌ  折曲線
Ｌ１，Ｌ２  搬送ライン
Ｐ１  起立工程
Ｐ２  シート収容工程
Ｐ３  封止工程
【要約】
【課題】薬液が塗布されたティシュの折り重ねられたシート群が箱に収容された衛生用品において、シートに含まれている薬液の減少を抑制し、長期にわたって薬液の効果を得ることができるようにする。
【解決手段】薬液が塗布されたティシュ１０の折り重ねられたシート群１００が箱２０に収容された衛生用品であって、箱２０の底壁部２２，天壁部２１及び四方の立壁部２３〜２６のうちの少なくとも底壁部２２の外表面２０Ｂの少なくとも一部に塗材２８，２９が塗布されている。
【選択図】図５【図１】
0006809590.tif 000002
【図２】
0006809590.tif 000003
【図３】
0006809590.tif 000004
【図４】
0006809590.tif 000005
【図５】
0006809590.tif 000006
【図６】
0006809590.tif 000007
【図７】
0006809590.tif 000008